(57)【要約】      （修正有）【課題】刃部を保護すると共に不用意な怪我を防止するためのカバーを備えたカバー付きピーラーを提供する。【解決手段】柄部２ｂと、支持部２ｃと、刃部本体２ａと、長穴２ａａに刃部２ａｂを形成したピーラー２と、刃部本体２ａに着脱可能に付設するカバー１とを備えたカバー付ピーラーであって、カバー１は刃部本体２ａの両側辺に係止する爪部と、爪部を突設した樋状のカバー基体と、カバー基体に接続部を介装して延設したツマミ部とから成り、ツマミ部を摘んで爪部を解放するための回動支点は爪部を直径とする真円線上の直角方向に位置させると共に、作用点を真円線上の爪部を通過する中心線より回動支点側に位置させた。【選択図】図１
0003143312.tif 000002
【実用新案登録請求の範囲】
【請求項１】
手で把持する柄部と、該柄部に延設した先端側を略Ｕ字状の二股に形成された支持部と、該支持部の間に回動自在に軸着させた板状の刃部本体と、該刃部本体に形成した長穴と、該長穴の長手方向に刃部を形成したピーラーと、該ピーラーの刃部本体に着脱可能に付設するカバーとを備えたカバー付ピーラーであって、前記カバーは前記刃部本体の長手方向に沿った両側辺に係止する夫々の爪部と、該夫々の爪部を両内側に突設した樋状のカバー基体と、該カバー基体の外側に夫々接続部を介装して略平行に対峙するように延設した夫々のツマミ部とから成り、前記夫々のツマミ部を摘んで前記夫々の爪部を解放するための回動支点は前記夫々の爪部を直径とする真円線上の直角方向に位置させると共に、作用点を真円線上の前記夫々の爪部を通過する中心線より回動支点側に位置させた構造としたことを特徴とするカバー付きピーラー。
【請求項２】
前記カバーの巾方向の両側端辺の厚みは前記回動支点が位置する中央辺の厚みより薄くした構造としたことを特徴とする請求項１に記載のカバー付きピーラー。
【考案の詳細な説明】
【技術分野】
【０００１】
本考案は、カバー付きピーラーに関するものであり、更に詳細には、果物や野菜等の皮を剥くためのピーラーに、刃部本体に備えた刃部を保護すると共に不用意な怪我を防止するためのカバーを備えたカバー付きピーラーに関するものである。
【背景技術】
【０００２】
従来、カバー付きピーラーは各種開発され家庭や業務用の調理の準備段階で果物や野菜の皮を剥くために好適に使用されており、夫々の生活や調理のために役立っている。
【０００３】
然し乍ら、従来、図５に図示したように、カバー付きピーラーにはカバーが取り付けてあるものであるが、樋状のカバーの両側にツマミ部を膨出させて形成しているだけのもので、ピーラーからカバーを取り外したり取り付けたりする時に安定して力が加わらず、カバーの取り外したり取り付けたりする際にカバーが回動して、刃で手を切ってしまう苦情が多いのが実情である。
【０００４】
その為、例えば、先に開示された、湾曲アーム１の先端付近に刃部２を左右両側方向から覆うカバー５を上下方向へ回動自在にかつ該カバー５からの刃部２の露出長さを多段に変更可能に取り付けて成る果実皮むき器（特許文献１参照）や、ピーラーＰは、手で持つ保持体１と、皮をむく刃部２と、この刃部２を支持すると共に、保持体１の先端に対向するように設けられた刃部支持部１ａとを備えたピーラーＰであって、刃部２を覆うカバーＫを保持体１の先端に着脱自在に取り付けるもの（特許文献２参照）が開示されている。
【特許文献１】実開平１−１６８２０９号公報
【特許文献２】実用新案登録第３１２４７９８号公報
【考案の開示】
【考案が解決しようとする課題】
【０００５】
然し乍ら、特許文献１記載のものも、カバーを有しているものであるが、皮むき器本体の構造が一般的なピーラーとは相違するもので、従って、カバーの構造も相違しており、刃部が突出した側方はカバーされているものの刃部の先端方向の下方はカバーされておらず危惧を感じるものであり、特許文献２記載のものは、カバーをヒンジを介して被係止部７を係止部４ａに嵌合させて覆うものであるが、構造が複雑でワンタッチで着脱できず、着脱の際に刃部２に指先等が接触するものである。
【課題を解決するための手段】
【０００６】
前記課題に鑑み、鋭意研鑽の結果、本考案のカバー付きピーラーは、柄部と、柄部に延設した二股に形成された支持部と、支持部の間に軸着させた刃部本体と、刃部本体に形成した長穴と、長穴に刃部を形成したピーラーと、ピーラーの刃部本体に着脱可能に付設するカバーとを備えたカバー付ピーラーであって、カバーは刃部本体の両側辺に係止するの爪部と、爪部を突設したカバー基体と、カバー基体に接続部を介装して延設したツマミ部とから成り、ツマミ部を摘んで爪部を解放するための回動支点は爪部を直径とする真円線上の直角方向に位置させると共に、作用点を真円線上の夫々の爪部を通過する中心線より回動支点側に位置させた構造としたものであり、更に、カバーの巾方向の両側端辺の厚みは回動支点が位置する中央辺の厚みより薄くした構造としたものである。
【考案の効果】
【０００７】
本考案は、ピーラーの刃部本体に着脱可能に付設するカバーとを備えたカバー付ピーラーにおいて、カバーは刃部本体の長手方向に沿った両側辺に係止する夫々の爪部と、夫々の爪部を両内側に突設した樋状のカバー基体と、カバー基体の外側に夫々接続部を介装して延設した夫々のツマミ部とから成り、夫々のツマミ部を摘んで夫々の爪部を解放するための回動支点は夫々の爪部を直径とする真円線上の直角方向に位置させると共に、作用点を真円線上の夫々の爪部を通過する中心線より回動支点側に位置させた構造としたことにより、材料特性による弾性を利用してツマミ部を人差し指と親指で軽く把持するだけでカバーの着脱ができるもので、カバーの巾方向の両側端辺の厚みは中央辺の厚みより薄くした構造としたことにより、弾性がカバーの巾方向の両側端辺に強く付与され、より着脱が容易となるものであり、画期的で実用性の高いものである。
【考案を実施するための最良の形態】
【０００８】
以下、本考案のカバー付きピーラーの実施例の図面を用いて詳細に説明すると、図１は本考案のカバー付きピーラーの実施例の斜視図であり、図２は本考案のカバー付きピーラーの実施例の（ａ）はカバーを把持した状態で（ｂ）は力を加えた状態の要部断面説明図であり、図３は本考案のカバー付きピーラーの実施例のカバーの要部断面説明図であり、図４は本考案のカバー付きピーラーの実施例のカバーの底面図と側面図であり、図５は従来のカバー付きピーラーの斜視図である。
【０００９】
本考案は、カバー付きピーラーに関するものであり、更に詳細には、果物や野菜等の皮を剥くためのピーラー２と、刃部本体２ａに備えた刃部２ａｂを保護すると共に不用意な怪我を防止するためのカバー１を備えたカバー付きピーラーに関するものであり、請求項１に記載のカバー付きピーラー２は、手で把持する柄部２ｂと、該柄部２ｂに延設した先端側を略Ｕ字状の二股に形成された支持部２ｃと、該支持部２ｃの間に回動自在に軸着させた板状の刃部本体２ａと、該刃部本体２ａに形成した長穴２ａａと、該長穴２ａａの長手方向に刃部２ａｂを形成したピーラー２と、該ピーラー２の刃部本体２ａに着脱可能に付設するカバー１とを備えたカバー付ピーラーであって、前記カバー１は前記刃部本体２ａの長手方向に沿った両側辺に係止する夫々の爪部１ｂと、該夫々の爪部１ｂを両内側に突設した樋状のカバー基体１ｄと、該カバー基体１ｄの外側に夫々接続部１ｃを介装して略平行に対峙するように延設した夫々のツマミ部１ａとから成り、前記夫々のツマミ部１ａを摘んで前記夫々の爪部１ｂを解放するための回動支点Ｄは前記夫々の爪部１ｂを直径とする真円線Ｆ上の直角方向に位置させると共に、作用点Ｇを真円線上の前記夫々の爪部１ｂを通過する中心線より回動支点Ｄ側に位置させた構造としたことを特徴とするものである。
【００１０】
更に、請求項２に記載のカバー付きピーラーは、請求項１に記載のカバー付きピーラーにおいて、前記カバー１の巾方向の両側端辺の厚みＢは前記回動支点Ｄが位置する中央辺の厚みＣより薄くした構造としたことを特徴とするものである。
【実施例】
【００１１】
即ち、本考案のカバー付きピーラーのピーラー２は、図１に図示するように、手で把持する略棒状の柄部２ｂと、柄部２ｂの先端に基端を埋設させて延設した先端側を略Ｕ字状の二股に形成された支持部２ｃと、夫々の支持部２ｃの先端辺に孔を穿設し、夫々の孔の間に短軸を回動自在に軸着させた板状の刃部本体２ａとから成るものである。
【００１２】
そして、刃部２ａｂは、板状の刃部本体２ａの巾方向の中央に長穴２ａａを形成し、長穴２ａａの少なくとも一辺を鋭利に形成しているもので、刃部本体２ａは使用勝手の良いように縦断面で略くの字状又は略アール形状に形成させているものである。
【００１３】
次に、カバー１は、このピーラー２の刃部本体２ａに着脱可能に付設するものであり、鋭利な刃部２ａｂを保護すると共に指３の先を刃部２ａｂから守り不用意な接触による怪我を回避するためのものである。
【００１４】
更に、カバー１は、図２乃至図４に図示するように、長手方向の中央辺の断面は略Ｍ字状に形成されたものであり、夫々の爪部１ｂは刃部本体２ａの長手方向に沿った両側辺を材料特性の弾性により外側から挟持するように係止させるものである。
【００１５】
次いで、カバー基体１ｄは、樋状のもので開口側の両内側に相対させて夫々の爪部１ｂを突設させており、夫々のツマミ部１ａは平板状のものでカバー基体１ｄの外側に夫々接続部１ｃを介装して略平行に対峙するように延設しているものである。
【００１６】
そして、カバー１の回動支点Ｄは、図３に図示するように、夫々のツマミ部１ａを摘んで夫々の爪部１ｂをピーラー２の刃部本体２ａから解放するときの回動の支点となるものであり、夫々の爪部１ｂを直径とする真円線Ｆ上の直角方向に位置させると共に、回動支点Ｄは樋状のカバー基体１ｄの外側面の巾方向の中心に位置させたもので、つまり、真円線Ｆの中心線Ｅ上に夫々の爪部１ｂは位置しており、回動支点Ｄは中心線Ｅと直交する中心線上に位置しているものである。
【００１７】
更に、カバー１の巾方向の両側端辺の厚みは、回動支点Ｄが位置する中央辺の厚みより薄くしたものであり、つまり、ツマミ部１ａを人差し指３と親指３とで把持して軽く力を加えた時、回動支点Ｄを中心に作用点Ｇが僅かに作用点移動回動幅Ａだけ回動することで、夫々の爪部１ｂが回動して、カバー１の材料特性の弾性がカバー１の両側端辺の爪部１ｂにほどよく係るものである。
【産業上の利用可能性】
【００１８】
本考案は、ピーラーの刃部本体に着脱可能に付設するカバーとを備えたカバー付ピーラーにおいて、カバーは刃部本体の長手方向に沿った両側辺に係止する夫々の爪部と、夫々の爪部を両内側に突設した樋状のカバー基体と、カバー基体の外側に夫々接続部を介装して延設した夫々のツマミ部とから成り、夫々のツマミ部を摘んで夫々の爪部を解放するための回動支点は夫々の爪部を直径とする真円線上の直角方向に位置させると共に、作用点を真円線上の夫々の爪部を通過する中心線より回動支点側に位置させた構造としたことにより、材料特性による弾性を利用してツマミ部を人差し指と親指で軽く把持するだけでカバーの着脱ができるもので、カバーの巾方向の両側端辺の厚みは中央辺の厚みより薄くした構造としたことにより、弾性がカバーの巾方向の両側端辺に強く付与され、よりカバーの着脱が容易となるものであり、安全性を配慮したカバー付きピーラーを提供するものである。
【図面の簡単な説明】
【００１９】
【図１】図１は本考案のカバー付きピーラーの実施例の斜視図である。
【図２】図２は本考案のカバー付きピーラーの実施例の（ａ）はカバーを把持した状態で（ｂ）は力を加えた状態の要部断面説明図である。
【図３】図３は本考案のカバー付きピーラーの実施例のカバーの要部断面説明図である。
【図４】図４は本考案のカバー付きピーラーの実施例のカバーの底面図と側面図である。
【図５】図５は従来のカバー付きピーラーの斜視図である。
【符号の説明】
【００２０】
１      カバー
１ａ    ツマミ部
１ｂ    爪部
１ｃ    接続部
１ｄ    カバー基体
２      ピーラー
２ａ    刃部本体
２ａａ  長穴
２ａｂ  刃部
２ｂ    柄部
２ｃ    支持部
３      指
Ａ      作用点移動回動幅
Ｂ      両側端辺の厚み
Ｃ      中央辺の厚み
Ｄ      回動支点
Ｆ      真円線
Ｇ      作用点
【図１】
0003143312.tif 000003
【図２】
0003143312.tif 000004
【図３】
0003143312.tif 000005
【図４】
0003143312.tif 000006
【図５】
0003143312.tif 000007